【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
低電力能動冷却装置と、
前記能動冷却装置に電気的に結合され、前記能動冷却装置を選択的に起動させるために、前記能動冷却装置に対して駆動信号を生成し送信するように構成されるコントローラ（４２、８０）と、
前記能動冷却装置の消費電力を測定し、前記能動冷却装置により冷却されている熱発生電気装置の動作と関係する１つまたは複数の動作パラメータを測定するように構成される複数のセンサー（６６、６８、７２、７４、７６、１０２、１０４）と、を含み、
前記熱発生電気装置は、温度に依存する電力生成装置（６４）および温度に依存する電力消費装置（９２）の一方を含み、
前記コントローラ（４２、８０）は、
前記能動冷却装置の前記消費電力および前記１つもしくは複数の測定された動作パラメータについての入力であって、前記熱発生電気装置が電力生成装置（６４）である場合には装置出力電力を含み、または、前記熱発生電気装置が電力消費装置（９２）である場合には装置入力電力を含む入力を前記複数のセンサー（６６、６８、７２、７４、７６、１０２、１０４）から受信し、
前記能動冷却装置に前記熱発生電気装置を選択的に冷却させるために、前記能動冷却装置の前記消費電力および前記測定された動作パラメータについての前記受信した入力に基づいて、前記能動冷却装置に対して駆動信号を生成し送信するようにさらに構成され、
前記能動冷却装置に対して前記駆動信号を生成し送信する際には、前記コントローラ（４２、８０）は、前記装置が電力生成装置（６４）である場合には正味システム電力出力を最大にするために、または、前記装置が電力消費装置（９２）である場合には全システム電力入力を最小にするために、前記能動冷却装置によって提供される対流冷却の量を制御し、前記正味システム電源出力を最大にすることは、前記電力生成装置（６４）により生成される電力から前記能動冷却装置によって消費される電力を減ずることによって定義される正味電力を最大にすることを含み、前記全システム電力を最小にすることは、前記電力消費装置（９２）により消費される電力に前記能動冷却装置により消費される電力を加えることによって定義される全電力を最小にすることを含む冷却システム（８６、１１０）。
【請求項２】
前記低電力能動冷却装置は、シンセティックジェット（１２、６２）を含み、前記シンセティックジェット（１２、６２）は、
チャンバ（２０）を取り囲み、オリフィス（３０）が形成される本体（１６）と、
前記本体（１６）の表面の変位を選択的に生じさせるために、前記表面に結合されるアクチュエータ要素（３４、３６）と、を含む、請求項１に記載の冷却システム（８６、１１０）。
【請求項３】
前記シンセティックジェット（１２、６２）は、２重冷却ジェットを含み、前記２重冷却ジェットは、
前記本体（１６）の第１の表面の変位を選択的に生じさせるために、前記第１の表面に結合される第１のアクチュエータ要素（３４）と、
前記本体（１６）の第２の表面の変位を選択的に生じさせるために、前記第２の表面に結合される第２のアクチュエータ要素（３６）と、を含み、
前記第２の表面は、前記第１の表面に対して平行に配置され、前記コントローラ（４２、８０）は、前記本体（１６）の前記オリフィス（３０）から外に放出される一連の流体渦を選択的に生成するように、前記第１および第２のアクチュエータ要素（３４、３６）に前記第１および第２の表面の変位を選択的に生じさせるために、前記２重冷却ジェットに対して駆動信号を生成し送信するように構成される、請求項２に記載の冷却システム（８６、１１０）。
【請求項４】
前記コントローラ（４２、８０）は、
フィードバックループ（８４、１０８）を介して、前記装置出力電力または前記装置入力電力についての複数の入力を前記複数のセンサー（６６、６８、７２、７４、７６、１０２、１０４）から受信し、
前記熱発生電気装置に対して前記能動冷却装置により提供される前記対流冷却の量を反復的に調整して、前記装置が電力生成装置（６４）である場合には前記正味システム電力出力が最大になる温度で、または前記装置が電力消費装置（９２）である場合には前記全システム電力入力が最小になる温度で、前記熱発生電気装置が動作するように、前記複数の入力に基づいて、前記能動冷却装置に対して生成され送信される前記駆動信号を反復的に調整するように、さらに構成される、請求項１に記載の冷却システム（８６、１１０）。
【請求項５】
前記入力は、前記熱発生電気装置の動作温度および前記熱発生電気装置が動作している周囲温度の少なくとも一方をさらに含む、請求項１に記載の冷却システム（８６、１１０）。
【請求項６】
前記コントローラ（４２、８０）は、
単一の測定された動作パラメータについての前記入力に基づいて、前記能動冷却装置に対して駆動信号を生成し送信するように構成され、前記熱発生電気装置が電力生成装置（６４）である場合には前記単一の測定された動作パラメータは前記正味システム出力電力であり、または、前記熱発生電気装置が電力消費装置（９２）である場合には前記単一の測定された動作パラメータは前記全システム入力電力である、単一入力単一出力（ＳＩＳＯ）コントローラまたは比例積分微分型（ＰＩＤ）コントローラ、あるいは、
複数の測定された動作パラメータについての前記入力に基づいて、前記能動冷却装置に対して駆動信号を生成し送信するように構成される複数入力単一出力（ＭＩＳＯ）コントローラの一方を含む、請求項１に記載の冷却システム（８６、１１０）。
【請求項７】
前記熱発生電気装置が電力生成装置（６４）である場合には、前記装置は光起電力（ＰＶ）モジュール、バッテリ、電力インバータ、または電力エレクトロニクスの１つを含む、請求項１に記載の冷却システム（８６、１１０）。
【請求項８】
前記熱発生電気装置が電力消費装置（９２）である場合には、前記装置は半導体装置、集積回路、中央処理ユニット（ＣＰＵ）、グラフィック処理ユニット（ＧＰＵ）、発光ダイオード（ＬＥＤ）、または電気通信装置の１つを含む、請求項１に記載の冷却システム（８６、１１０）。
【請求項９】
温度に依存する電力生成装置（６４）を冷却する方法であって、
対流冷却を電力生成装置（６４）に提供する冷却流体の流れを生成するように構成される能動冷却装置を提供するステップであって、前記電力生成装置（６４）は前記装置から生成される電力のレベルが部分的には前記装置の動作温度に依存する、温度に依存する電力生成装置（６４）を含むステップと、
前記対流冷却を前記装置に選択的に提供するために前記能動冷却装置に提供される電力供給を制御するように構成されるコントローラ（４２、８０）を、前記能動冷却装置に動作可能に接続するステップと、
前記電力生成装置（６４）により生成される前記出力電力の電流測定値および電圧測定値の少なくとも一方を前記コントローラ（４２、８０）に提供するステップであって、前記出力電力の前記電流測定値および前記電圧測定値の前記少なくとも一方は１つまたは複数のセンサー（６６、６８、７２、７４、７６、１０２、１０４）により測定されるステップと、  前記電力生成装置（６４）を冷却する際に前記能動冷却装置により消費される電力の測定値を前記コントローラ（４２、８０）に提供するステップと、
前記能動冷却装置に提供される電力の前記測定値に基づいて、および前記コントローラ（４２、８０）に提供される前記電流測定値および前記電圧測定値の前記少なくとも一方に基づいて、前記能動冷却装置に提供される前記電力供給を、前記コントローラ（４２、８０）を介して制御するステップと、を含み、
前記能動冷却装置に提供される前記電力供給の前記制御の際に、前記コントローラ（４２、８０）は、前記電力生成装置（６４）を正味システム電力が最大になる温度で動作させるために、前記能動冷却装置により提供される対流冷却の量を制御し、前記正味システム電力は、前記電力生成装置（６４）により生成される電力から前記能動冷却装置により消費される電力を減じたものとして定義される方法。
【請求項１０】
温度に依存する電力消費装置（９２）を冷却する方法であって、
対流冷却を電力消費装置（９２）に提供する冷却流体の流れを生成するように構成される低電力能動冷却装置を提供するステップであって、前記電力消費装置（９２）は前記装置により消費される電力のレベルが部分的には前記装置の動作温度に依存する、温度に依存する電力消費装置（９２）を含むステップと、  前記対流冷却を前記装置に選択的に提供するように前記冷却ジェットの生成を制御するために前記能動冷却装置に提供される電力供給を制御するように構成されるコントローラ（４２、８０）を、前記能動冷却装置に動作可能に接続するステップと、
前記電力消費装置（９２）による電力要求に応じて前記電力消費装置（９２）に供給される前記入力電力の電流測定値および電圧測定値の少なくとも一方を前記コントローラ（４２、８０）に提供するステップであって、前記入力電力の前記電流測定値および前記電圧測定値の前記少なくとも一方は１つまたは複数のセンサー（６６、６８、７２、７４、７６、１０２、１０４）で測定されるステップと、
前記電力消費装置（９２）を冷却する際に前記能動冷却装置により消費される電力の測定値を前記コントローラ（４２、８０）に提供するステップと、
前記能動冷却装置に提供される電力の前記測定値に基づいて、および前記コントローラ（４２、８０）に提供される前記電流測定値および前記電圧測定値の前記少なくとも一方に基づいて、前記能動冷却装置に提供される前記電力供給を、前記コントローラ（４２、８０）を介して制御するステップと、を含み、
前記能動冷却装置に提供される前記電力供給の前記制御の際に、前記コントローラ（４２、８０）は、前記電力消費装置（９２）を全システム電力が最小になる温度で動作させるために、前記能動冷却装置により提供される対流冷却の量を制御し、前記全システム電力は、前記電力消費装置（９２）により消費される電力に前記能動冷却装置により消費される電力を加えたものとして定義される方法。
【請求項１１】
前記電力生成装置（６４）により生成される前記出力電力についての、および前記能動冷却装置により消費される前記電力についての複数の測定値を、フィードバックループ（８４、１０８）を介して前記コントローラ（４２、８０）に提供するステップと、
前記能動冷却装置によって前記電力生成装置（６４）に提供される前記対流冷却の量を反復的に調整するために、前記複数の測定値に基づいて、前記能動冷却装置に提供される前記電力供給を、前記コントローラ（４２、８０）を介して反復的に調整するステップと、をさらに含む、請求項９または１０に記載の方法。
【請求項１２】
前記コントローラ（４２、８０）は、単一入力単一出力（ＳＩＳＯ）コントローラおよび比例積分微分型（ＰＩＤ）コントローラの一方を含む、請求項９乃至１１のいずれかに記載の方法。
【請求項１３】
前記出力電力の前記電流測定値および前記電圧測定値の前記少なくとも一方は、前記能動冷却装置および前記コントローラ（４２、８０）に前記出力電力の一部を提供した後に、前記１つまたは複数のセンサー（６６、６８、７２、７４、７６、１０２、１０４）により測定される、請求項９乃至１１のいずれかに記載の方法。
【請求項１４】
前記電力消費装置（９２）に供給される前記入力電力についての、および前記能動冷却装置により消費される前記電力についての複数の測定値を、フィードバックループ（８４、１０８）を介して前記コントローラ（４２、８０）に提供するステップと、
前記能動冷却装置によって前記電力消費装置（９２）に提供される前記対流冷却の量を反復的に調整するために、前記複数の測定値に基づいて、前記能動冷却装置に提供される前記電力供給を、前記コントローラ（４２、８０）を介して反復的に調整するステップと、をさらに含む、請求項９乃至１３のいずれかに記載の方法。
【請求項１５】
１つまたは複数の付加的なセンサー（６６、６８、７２、７４、７６、１０２、１０４）を介して測定される少なくとも１つの付加的な動作パラメータを前記コントローラ（４２、８０）に提供するステップをさらに含み、前記少なくとも１つの付加的な動作パラメータは、前記電力消費装置（９２）がその範囲内で動作しているパラメータ、または前記電力消費装置（９２）の動作に影響を及ぼす動作パラメータを含む、請求項９乃至１４のいずれかに記載の方法。
【請求項１６】
前記少なくとも１つの付加的な入力パラメータは、前記電力消費装置（９２）の動作温度および前記電力消費装置（９２）が動作している周囲温度の１つまたは複数を含む、請求項１５に記載の方法。
【請求項１７】
前記コントローラ（４２、８０）は、前記電力消費装置（９２）に供給される前記入力電力の前記測定値、前記能動冷却装置により消費される前記電力の前記測定値、および前記少なくとも１つの付加的な動作パラメータに基づいて、前記能動冷却装置に提供される前記電力供給を決定するように構成される複数入力単一出力（ＭＩＳＯ）コントローラを含む、請求項１５に記載の方法。
【請求項１８】
前記コントローラ（４２、８０）は、前記電力生成装置（６４）により生成される前記出力電力の前記測定値、前記能動冷却装置により消費される前記電力の前記測定値、および前記少なくとも１つの付加的な動作パラメータに基づいて、前記能動冷却装置に提供される前記電力供給を決定するように構成される複数入力単一出力（ＭＩＳＯ）コントローラを含む、請求項１５に記載の方法。